(57)【要約】【課題】  その目的は、上下階のコンクリート打継となる目地の底部分に埋設する足場用インサートおいて、コンクリートに埋設するアンカー部の定着が十分に確保でき、壁つなぎ金具を支持する所定の引抜き強度を確保できると共に、目地材への取付け時に梁部の配筋等が定着部材及び定着アンカーに干渉することなく、施工性の良いと共に、精度よく取付けできるインサートを提供することにある。【解決手段】  コンクリート躯体と外部足場とを連結する壁つなぎ金具用の足場用インサートであって、前記壁つなぎ金具の連結ボルトを螺着する螺着部と該螺着部の先端に目地棒に固定する固定部を設け、基端には下方向に延伸する略Ｚ型状に屈曲したアンカー軸を設けると共に、該アンカー軸に進退可能なアンカー体を設けたことを特徴とする。【選択図】図１
2019052518.tif 000002
【特許請求の範囲】
【請求項１】
コンクリート躯体と外部足場とを連結する壁つなぎ金具に用いる足場用インサートであって、前記壁つなぎ金具の連結ボルトを螺着する螺着部と、該螺着部の先端に目地棒に固定する固定部を設け、基端には下方向に延伸する略Ｚ型状に屈曲したアンカー軸を設けると共に、該アンカー軸に進退可能なアンカー体を設けたことを特徴とする足場用インサート。
【発明の詳細な説明】
【技術分野】
【０００１】  この発明は、ＲＣ造の集合住宅等、コンクリート躯体工事の際にコンクリート躯体内に埋設し、コンクリート躯体と外部足場とを連結する壁つなぎ金具を固定する足場用インサートにおいて、上下階のコンクリート打継となる目地の底部分に埋設する足場用インサートに関する。
【背景技術】
【０００２】  従来、この種、上下階のコンクリート打継となる目地の底部分に埋設する足場用インサートとして、特開昭６３−３５９６２号、及び特開２００５−９１８３号が開示されている。
一般的に壁つなぎ金具を固定する足場用インサートはコンクリート外壁部分の所望位置に埋設して外部足場を連結し、その後、解体、撤去する際、コンクリート表面に露出するインサート端面から内ネジ部分に向かってプラスチック栓やモルタル等を充填して補修を行っていたが、外壁の仕上げが外装吹付け材の塗布等であった場合、補修痕が残ってしまい外観上の仕上がりに満足がいくものではなかった。
そこで、足場用インサートの埋設位置を目地の底部分とすることで、補修箇所が目地底となると共に、目地は防水のためコーキング材を充填して仕上げるため補修痕は隠れて表面に現れず、外壁の仕上がりにおいて外観上の問題を解消する目的としたものであった。【０００３】  また、前記開示文献に示す実施例の形態及び構成について、共に、壁つなぎ金具の連結ボルトを螺着する長ナット（ジョイントナット）を先端のプレート材（板材）により目地材の奥側に釘止め、あるいは接着固定し、該長ナットの他端には棒鋼を屈曲してアンカー効果を得られるように形成した定着部材（アンカー部）とから構成され、更に特開２００５−９１８３号には実施例として定着部材の先端に定着ナットを螺着した形態となっている。【０００４】  すなわち、足場用インサートは壁つなぎ金具を支持する所定の引抜き強度を必要とするため、上記の通り、壁つなぎ金具の連結ボルトを螺着する足場用インサートの長ナットは目地材の奥側に水平に配置されるが、上下階のコンクリート打継部分のため、コンクリートに定着するための定着部材は長ナットから下方に向かって相当の定着長さ分屈曲させ、また、アンカー力を高めるために、定着部材の先端に定着ナットを螺着している。
しかし、目地部の奥側辺りはスラブ及び、梁の鉄筋が密に配置されるため、定着部材や定着ナットが鉄筋に干渉する場合があり、足場用インサートの取付け作業が非常に困難になる場合があるなどの問題点があった。
【先行技術文献】
【特許文献】
【０００５】
【特許文献１】特開昭６３−３５９６２号
【特許文献２】特開２００５−９１８３号
【発明の概要】
【発明が解決しようとする課題】
【０００６】  この発明は上記従来の課題に鑑みなされたもので、その目的は、上下階のコンクリート打継となる目地の底部分に埋設する足場用インサートおいて、コンクリートに埋設するアンカー部の定着が十分に確保でき、壁つなぎ金具を支持する所定の引抜き強度を確保できると共に、目地材への取付け時に梁部の配筋等が定着部材及び定着アンカーに干渉することなく、取付け時の施工性が良いと共に、精度よく取付けできる足場用インサートを提供することにある。
【課題を解決するための手段】
【０００７】  その手段として、本発明は、コンクリート躯体と外部足場とを連結する壁つなぎ金具に用いる足場用インサートであって、前記壁つなぎ金具の連結ボルトを螺着する螺着部と、該螺着部の先端に目地棒に固定する固定部を設け、基端には下方向に延伸する略Ｚ型状に屈曲したアンカー軸を設けると共に、該アンカー軸に進退可能なアンカー体を設けたことを特徴とする。
【発明の効果】
【０００８】  本発明の足場用インサートによれば、壁つなぎ金具の連結ボルトを螺着する螺着部の基端には下方向に延伸する略Ｚ型状に屈曲したアンカー軸を設けたため、必要な定着長さを確保できると共に、コンクリート表面から奥側への出幅を少なくしている。
該アンカー軸に進退可能なアンカー片を設けたため、アンカー効果を高めることができると共に、アンカー軸に進退可能なため、密に配置された鉄筋の空所に移動させることができる。
すなわち、コンクリートの定着が十分に確保でき、所定の引き抜き強度を確保できると共に、取付け時に梁部の配筋等が定着部材及び定着アンカーに干渉することなく、施工性、施工精度が向上して、上記従来の課題を解消することができる。
【図面の簡単な説明】
【０００９】
【図１】本発明の足場用インサートの実施例を示す斜視図
【図２】本発明の実施例の仕様状態を示す説明図１
【図３】本発明の実施例の仕様状態を示す説明図２
【図４】本発明の実施例の仕様状態を示す説明図３
【図５】本発明の足場用インサートの他の実施例を示す斜視図１
【発明を実施するための形態】
【００１０】  本発明の実施の形態を図面により詳細に説明する。
図１は本発明の足場用インサートの実施例を示す斜視図である。
１０は固定部であり、薄鋼鈑を矩形状に形成した本体１１のほぼ中央に透孔１２を設け、両側には釘穴１３、１３をそれぞれ設ける。
また、本体１１の上縁を屈曲して目地棒の上面に係止することで、目地棒に沿って水平に配置できるための係止片１４を形成する。
２０は螺着部であり、内設する内ネジ２１が前記固定部１０のほぼ中央に設けた透孔１２と同軸上となるように溶着する。
壁つなぎ金具の連結ボルトは固定部１０の透孔１２を挿通して、螺着部２０の内ネジ２１に螺着することができる。
３０はアンカー軸であり、丸鋼材を螺着部２０の基端から斜め下方向に延伸し、更に螺着部２０とほぼ平行になるように水平方向に屈曲する略Ｚ形状に形成すると共に、該アンカー軸３０の先端には外ネジ３１を螺設する。
螺着部２０とアンカー軸３０とは、冷間あるいは熱間鍛造加工等により一体的に形成することができる。
４０はアンカー体であり、内ネジ４１を設けた筒状体にアンカーとなる円状のフランジ４２を形成したもので、前記アンカー軸３０の外ネジ３１に内ネジ４１を螺着することで、アンカー体４０が前記アンカー軸３０に沿って進退可能となる。
【００１１】  また、図５に示すように、固定部１０と螺着部２０を、固定部１０のほぼ中央に設けた透孔１２を介して螺着部２０の内ネジ２１にボルト５０を螺着することで固定すれば、溶着工程の省略化ができる。
しかも、コンクリート打設後にボルト５０を取り外すことで、固定部１０も埋設された螺着部２０から取り外せるため、目地底面に露出する部分が螺着部２０の端面のみとなり、その結果コンクリート面に露出する金属面を大きく減少することができ、防錆効果を高めることができる。
なお、固定部１０を樹脂製とすれば、コンクリート打設後に固定部１０を目地底面に取り残した状態でも、樹脂製のため同様に防錆効果を高めることができる。
ボルト５０は、螺着部２０からの取り外しを容易にするために、ボルトの頭にマイナスあるいは十字溝や六角穴を設けるのが望ましい。
【００１２】  次に本発明の実施例の使用方法を説明する。
図２〜図４は本発明の実施例の使用状態を示す説明図である。
型枠Ａの所定位置に釘止めされた目地棒Ｂの適宜位置に本発明の足場用インサートを取付けるが、その取付け方法は、固定部１０の係止片１４を目地棒Ｂの上面に当接し、目地棒Ｂの水平方向に沿うようにした状態で、釘穴１３、１３を介して目地棒Ｂ及び型枠Ａに向かって釘Ｃをそれぞれ打付けて固定する。
その際、丸棒状のアンカー軸３０は梁筋Ｄ等に干渉しないように鉄筋の空所に配置すると共に、アンカー体４０をアンカー軸３０の外ネジ３１に前後に進退させる。
コンクリート打設養生、型枠Ａの脱型、並びに目地棒Ｂの取り外しにより、目地底に露出する螺着部２０の内ネジ２１に壁つなぎ金具Ｅの連結ボルトＦを螺入して連結することができる。
【符号の説明】
【００１３】１０  固定部
１２  透孔
１３  釘穴
１４  係止片
２０  螺着部
２１  内ネジ
３０  アンカー軸
３１  外ネジ
４０  アンカー体
５０  ボルト
Ａ    型枠
Ｂ    目地棒
Ｃ    釘
Ｄ    梁筋
Ｅ    壁つなぎ金具
Ｆ    連結ボルト
【図１】
2019052518.tif 000003
【図２】
2019052518.tif 000004
【図３】
2019052518.tif 000005
【図４】
2019052518.tif 000006
【図５】
2019052518.tif 000007